(57)【要約】      （修正有）【課題】画像形成装置を用いた防犯システムにおいて、ユーザの利便性を向上させる。【解決手段】画像形成装置１００は、撮像された画像データを記憶する記憶装置１１１と、前記撮像された画像データを解析することにより、異常を検出する異常検出部１３２と、異常が検出された画像データが、記憶装置１１１に記憶された時刻を記録する記録制御部１３３と、異常が検出されるごとに、記録された時刻を記録紙に印刷出力するプリンタ部１０２と、を有する。【選択図】図１
2015023399.tif 000002
【特許請求の範囲】
【請求項１】
撮像された画像データを記憶する記憶手段と、
前記撮像された画像データを解析することにより、異常を検出する検出手段と、
前記検出手段により異常が検出された画像データが、前記記憶手段に記憶された時刻を記録する記録手段と、
前記検出手段により異常が検出されるごとに、前記記録された時刻を記録紙に印刷出力する印刷出力手段と
を有することを特徴とする画像形成システム。
【請求項２】
前記印刷出力手段は、
前記記録手段により、前記記憶手段に記憶された時刻が記録された前記画像データを、前記時刻とともに前記記録紙に印刷出力することを特徴とする請求項１に記載の画像形成システム。
【請求項３】
前記印刷出力手段は、
前記記録手段により記録された時刻の前後の所定の時間内に、前記記憶手段に記憶された画像データを、更に、前記記録紙に印刷出力することを特徴とする請求項２に記載の画像形成システム。
【請求項４】
前記記憶手段に記憶された画像データのうち、前記印刷出力手段により印刷出力の対象とならなかった画像データを、前記記憶手段に記憶された時刻の古いものから順に削除する削除手段を更に有することを特徴とする請求項２または３に記載の画像形成システム。
【請求項５】
前記記憶手段に記憶する間隔を特定する時間間隔に関する情報と、
前記記録手段により記録された時刻の前後の所定の時間を特定する記録範囲に関する情報と、
前記記憶手段が画像データの記憶を行う時間範囲に関する情報と
を設定する設定手段を更に有することを特徴とする請求項３に記載の画像形成システム。
【請求項６】
前記印刷出力手段は、
前記設定手段により設定された時間範囲において、前記検出手段により異常が検出されなかった場合、該時間範囲において異常が検出されなかったことを示すレポートを印刷出力することを特徴とする請求項５に記載の画像形成システム。
【請求項７】
画像形成装置のコンピュータを、
撮像された画像データを記憶手段に記憶するよう制御する記憶制御手段と、
前記撮像された画像データを解析することにより、異常を検出する検出手段と、
前記検出手段により異常が検出された画像データが、前記記憶手段に記憶された時刻を記録する記録手段と、
前記検出手段により異常が検出されるごとに、前記記録された時刻を記録紙に印刷出力するよう制御する印刷制御手段
として機能させるプログラム。
【発明の詳細な説明】
【技術分野】
【０００１】
本発明は画像形成システム及びプログラムに関する。
【背景技術】
【０００２】
近年、防犯・防災意識の高まりから、国民を事故・災害・犯罪から護る情報通信技術の開発が求められている。例えば、オフィスでは、不正な侵入者による、機密文書や電子記録媒体の盗難を防止する防犯システムの開発が求められている。
【０００３】
一方で、オフィスにおける防犯システムとして、従来より、ＭＦＰ（Multi Function Peripheral）等の画像形成装置に防犯機能を搭載する構成が提案されている（例えば、下記特許文献１、２参照）。画像形成装置を用いた防犯システムの場合、別途監視カメラを壁面等に設置する必要がないうえに、画像形成装置を移動させることで、簡単に監視領域を変更できるといった利点がある。
【発明の概要】
【発明が解決しようとする課題】
【０００４】
しかしながら、画像形成装置を用いた防犯システムの場合、異常が検知された際に確認を行うのは、通常、当該画像形成装置が設置されたオフィスの管理者や責任者（つまり、専門の警備要員ではなく、企業の一従業員）であることが多い。
【０００５】
このため、異常が検知された旨の通知を受けたとしても、異常が発生した場所にただちに駆けつけるといった態様ではなく、後日、画像形成装置内に記憶された画像データを確認するといった態様により使用されることが想定される。
【０００６】
一方で、監視カメラにより撮像された膨大な量の画像データの中から、異常が検知された際に撮像された画像データを探し出すことは、必ずしも容易ではない。更に、探し出した画像データが、異常の誤検知によるものであることも考えられる。
【０００７】
このため、画像形成装置を用いた防犯システムにおいては、異常が発生したか否かを、ユーザが簡単に認識でき、かつ、異常があった際の画像データを容易に確認できるよう構成されていることが望ましい。
【０００８】
本発明は上記課題に鑑みてなされたものであり、一側面では、画像形成装置を用いた防犯システムにおいて、ユーザの利便性を向上させることを目的とする。
【課題を解決するための手段】
【０００９】
本発明の実施形態に係る画像形成システムは、以下のような構成を有する。すなわち、
撮像された画像データを記憶する記憶手段と、
前記撮像された画像データを解析することにより、異常を検出する検出手段と、
前記検出手段により異常が検出された画像データが、前記記憶手段に記憶された時刻を記録する記録手段と、
前記検出手段により異常が検出されるごとに、前記記録された時刻を記録紙に印刷出力する印刷出力手段とを有する。
【発明の効果】
【００１０】
一側面によれば、画像形成装置を用いた防犯システムにおいて、ユーザの利便性を向上させることが可能となる。
【図面の簡単な説明】
【００１１】
【図１】実施形態に係る画像形成装置の機能構成を示す図である。
【図２】実施形態に係る画像形成装置における設定情報の一例を示す図である。
【図３】実施形態に係る画像形成装置により記憶された記憶画像データの一例を示す図である。
【図４】実施形態に係る画像形成装置により記録された異常記録データの一例を示す図である。
【図５】実施形態に係る画像形成装置により印刷出力されたレポート（異常あり）の一例を示す図である。
【図６】実施形態に係る画像形成装置により印刷出力されたレポート（異常なし）の一例を示す図である。
【図７】実施形態に係る画像形成装置による防犯処理（異常あり）の流れを示すシーケンス図である。
【図８】実施形態に係る画像形成装置による防犯処理（異常なし）の流れを示すシーケンス図である。
【発明を実施するための形態】
【００１２】
以下、本発明の実施形態について添付の図面を参照しながら説明する。なお、本明細書及び図面において、実質的に同一の機能構成を有する構成要素については、同一の符号を付することにより重複した説明を省く。
【００１３】
［第１の実施形態］
＜画像形成装置の機能構成＞
はじめに、本実施形態に係る画像形成装置の機能構成について説明する。図１は、防犯システムを構成する、本実施形態に係る画像形成装置１００の機能構成を示す図である。画像形成装置１００は、プリント機能、スキャナ機能、コピー機能、ファクシミリ機能を有するＭＦＰ（Multi Function Peripheral）と称されるデジタル複合機である。
【００１４】
図１に示すように、画像形成装置１００は、ネットワーク通信部１０１、プリンタ部１０２、スキャナ部１０３、ファクシミリ通信部１０４、タイマ部１０５、カメラ部１０６を有する。更に、ＣＰＵ（コンピュータ）１０７、ＲＯＭ（Read Only Memory）１０８、ＲＡＭ（Random Access Memory）１０９、不揮発メモリ１１０、記憶装置１１１、操作部１１２を有する。
【００１５】
ネットワーク通信部１０１は、回線を介して接続された外部装置との通信を制御する。プリンタ部１０２は、シアン、マゼンタ、イエロー、ブラックのトナーを使用して、記録紙にカラー画像またはモノクロ画像を印刷出力する。
【００１６】
スキャナ部１０３は、１次元配列されたＬＥＤアレイを光源としてカラーＣＣＤラインセンサにより原稿画像を読み取る。また、カラーＣＣＤラインセンサから出力されるＲ（Red）、Ｇ（Green）、Ｂ（Blue）の各アナログ画像信号をそれぞれＡ（Analog）／Ｄ（Digital）変換によりデジタル画像データに変換し、出力する。
【００１７】
ファクシミリ通信部１０４は、回線を介して接続された外部装置との間で、ファクシミリの送受信を行う。
【００１８】
タイマ部１０５は、ユーザにより設定された時間に基づいて、カメラ部１０６により撮像された画像データを記憶装置１１１に記憶する際の記憶間隔をカウントアップするのに用いられる。
【００１９】
カメラ部１０６では、広角レンズを介して入射した光を、カラーＣＣＤエリアセンサにおいて受光する。また、カラーＣＣＤエリアセンサより出力されるＲ（Red）、Ｇ（Green）、Ｂ（Blue）の各アナログ画像信号を、Ａ（Analog）／Ｄ（Digital）変換することでデジタル画像データを生成し、出力する。
【００２０】
ＣＰＵ１０７は、ＲＯＭ１０８に記憶された各種制御プログラムやＯＳ（Operating System）を実行する。ＲＯＭ１０８に記憶された制御プログラムには、防犯機能を実現するための防犯アプリケーション１２１が含まれる。
【００２１】
また、防犯アプリケーション１２１には、ＣＰＵ１０７により実行されることで、記憶制御部１３１として機能するプログラム、異常検出部１３２として機能するプログラムが含まれる。更に、記録制御部１３３として機能するプログラム、管理部１３４として機能するプログラム、印刷制御部１３５として機能するプログラムが含まれる。
【００２２】
なお、記憶制御部１３１は、ユーザにより設定された記憶間隔で、カメラ部１０６により撮像された画像データを記憶画像データ１２３として記憶装置１１１に記憶する。また、記憶装置１１１に記憶された画像データのうち、不要な画像データを削除する。異常検出部１３２は、記憶装置１１１に記憶された画像データを解析することで、異常な状態（例えば、不正な侵入者等の不審者が含まれている状態）を検出する。
【００２３】
記録制御部１３３は、異常検出部１３２により、異常な状態が検出された場合に、対応する画像データが記憶装置１１１に記憶された時刻等を異常記録データ１２４として記録したり、異常な状態が検出された旨のレポート（異常あり）を生成したりする。また、異常な状態が検出されなかった場合にも、その旨のレポート（異常なし）を生成する。
【００２４】
管理部１３４は、異常な状態が検出されたか否かに応じて、記録制御部１３３及び記憶制御部１３１等における処理を管理する。印刷制御部１３５は、異常検出部１３２により生成された、異常な状態が検出された旨のレポート（異常あり）または異常な状態が検出されなかった旨のレポート（異常なし）を印刷するようプリンタ部１０２を制御する。
【００２５】
ＲＡＭ１０９は、ＣＰＵ１０７が各種制御プログラムを実行する際に、各種データを一時的に格納するワークメモリとして使用される。
【００２６】
不揮発メモリ１１０は、電源がオフにされても記憶が保持される書き換え可能なメモリであり、各種の設定情報等が記憶される。
【００２７】
記憶装置１１１は、大容量の不揮発の記憶装置であり、プリント機能、スキャナ機能、コピー機能、ファクシミリ機能を実行する際の画像データのほか、防犯機能において設定された設定情報１２２、記憶画像データ１２３や、異常記録データ１２４等を記憶する。
【００２８】
操作部１１２は、ハードキー、ＬＥＤ、タッチパネル式の画面等を有し、プリント機能、スキャナ機能、コピー機能、ファクシミリ機能、防犯機能を利用する際に、ユーザが各種指示、設定を入力する。また、画像形成装置１００の内部情報である、ジョブ履歴や機器状態、設定情報などを表示する。
【００２９】
＜防犯アプリケーションにおける設定情報＞
次に、防犯アプリケーション１２１が防犯処理を実行する際に用いる設定情報１２２について説明する。
【００３０】
図２は、防犯アプリケーション１２１を実行する際に用いる設定情報１２２の一例を示す図である。図２に示すように、設定情報１２２は、防犯アプリケーション１２１において、防犯処理を実行し、異常を検出する時間範囲を設定する"防犯処理の実行時間"２００を含む。図２の例では、"平日  午後７：００〜午前７：００  休日  ２４時間"と設定されているため、当該時刻において、防犯処理が実行される。
【００３１】
また、設定情報１２２は、カメラ部１０６において撮像された画像データを、記憶画像データ１２３として記憶装置１１１に記憶する記憶間隔を設定する"画像の記憶間隔"２０１を含む。図２の例では、"５分"と設定されているため、５分毎に、カメラ部１０６において撮像された画像データが、記憶制御部１３１により記憶画像データ１２３として記憶装置１１１に記憶される。
【００３２】
また、設定情報１２２は、異常検出部１３２により、異常が検出された画像データを記憶した時刻の、前後何分に記憶された画像データを異常記録データ１２４として記録するかを設定する"異常画像記録範囲"２０２を含む。図２の例では、"前後５分"と設定されているため、異常が検出された画像データを記憶した時刻の前後５分の間に記憶された画像データが、異常記録データ１２４として記録される。なお、図２の例では、"画像の記憶間隔"２０１が５分に設定されているため、異常が検出された画像データが記憶される１つ前に記憶された画像データと、１つ後に記憶される画像データとが異常記録データ１２４として記録される。
【００３３】
更に、設定情報１２２は、異常を検出しなかったときにレポート（異常なし）を生成し、印刷出力する時刻を設定する"定期レポート時刻"２０３を含む。図２の例では、"午前７：００"が設定されている。このため、直前の防犯処理の実行時間（例えば、前日の午後７：００〜本日の午前７：００までの時間範囲）において異常が検出されなかった場合には、本日の午前７：００にレポート（異常なし）が生成され、印刷出力される。
【００３４】
＜記憶画像データの説明＞
次に、防犯アプリケーション１２１により防犯処理が実行されることで、記憶装置１１１に記憶される記憶画像データ１２３について説明する。図３は、記憶画像データ１２３の一例を示す図である。
【００３５】
図３において、"画像ＩＤ"３００は、カメラ部１０６により撮像された画像データを記憶装置１１１に記憶する際に、各画像データに個別に付与される識別子である。"記憶時刻"３０１は、カメラ部１０６により撮像された画像データを記憶装置１１１に記憶する時刻である。本実施形態に係る画像形成装置１００では、"画像の記憶間隔"２０１（図２参照）が"５分"と設定されているため、記憶時刻も５分間隔となっている。
【００３６】
図３の例では、具体的には、画像ＩＤが"Ｉ００００００１"の画像データが、"２０１３年３月１９日午前２時０分"に記憶され、画像ＩＤが"Ｉ００００００２"の画像データが、"２０１３年３月１９日午前２時５分"に記憶されている。また、画像ＩＤが"Ｉ００００００３"の画像データが、"２０１３年３月１９日午前２時１０分"に記憶されている。
【００３７】
"画像データ"３０２は、カメラ部１０６により撮像された画像データである。記憶装置１１１には、バイナリデータとして記憶される。
【００３８】
このように、本実施形態に係る画像形成装置１００において、記憶画像データ１２３は、"防犯処理の実行時間"２００に設定された時間範囲の間、"画像の記憶間隔"２０１で設定された時間間隔で、画像データの数が増加していく。
【００３９】
＜異常記録データの説明＞
次に、防犯アプリケーション１２１により防犯処理が実行されることで、記憶装置１１１に記録される異常記録データ１２４について説明する。図４は、異常記録データ１２４の一例を示す図である。
【００４０】
図４において、"異常ＩＤ"４００は、カメラ部１０６により撮像され、記憶装置１１１に記憶された画像データのうち、異常検出部１３２により、異常が検出された画像データと対応する画像データとを含む画像データの画像ＩＤ群を識別するための識別子である。
【００４１】
"検出時刻"４０１は、異常検出部１３２により、異常が検出された画像データが、記憶装置１１１に記憶された時刻である。図４の例では、"２０１３年３月１９日午前２時５分"に記憶された画像データにおいて、異常が検出されたことを示している。
【００４２】
"対応する画像のＩＤ"４０２は、異常検出部１３２により、異常が検出された画像データの画像ＩＤと、異常記録データ１２４として記録されるべき画像データの画像ＩＤとが含まれる。
【００４３】
なお、上述したように、異常記録データ１２４として記録されるべき画像データとは、異常が検出された画像データに対して、"異常画像記録範囲"２０２において設定された時間内に記憶された画像データである。
【００４４】
本実施形態では、"画像の記憶間隔"２０１が"５分"と設定され、"異常画像記録範囲"２０２が"前後５分"と設定されている。このため、異常が検出された画像データの画像ＩＤと、１つ前に記憶された画像データの画像ＩＤと１つ後に記憶された画像データの画像ＩＤとが、異常記録データ１２４として記録される。
【００４５】
具体的には、"２０１３年３月１９日午前２時５分"に記憶された画像データの画像ＩＤと、"２０１３年３月１９日午前２時０分"と、"２０１３年３月１９日午前２時１０分"とに記憶された画像データの画像ＩＤとが、異常記録データ１２４として記録される。つまり、画像ＩＤ"Ｉ００００００１"と"Ｉ００００００３"とが、画像ＩＤ"Ｉ００００００２"とともに、"対応する画像のＩＤ"４０２に記録されることとなる。そして、これらの画像ＩＤ群に対して、"異常ＩＤ"４００として、"Ｔ００００００１"が設定される。
【００４６】
＜レポート（異常あり）の説明＞
次に、異常検出部１３２において異常が検出された際に生成され、印刷出力されるレポート（異常あり）について説明する。図５は、異常検出部１３２において異常が検出された際に生成され、印刷出力されるレポート（異常あり）５００の一例を示す図である。
【００４７】
図５に示すように、レポート（異常あり）５００は、詳細情報を記載する領域５０１と、画像データを描画する領域５１１〜５１３とを備える。
【００４８】
詳細情報を記載する領域５０１には、異常検出部１３２により異常が検出されたこと、及び、異常が検出された画像データが記憶された時刻が記載される。
【００４９】
画像データを描画する領域５１１〜５１３には、異常が検出された際に、異常記録データ１２４に記録された画像ＩＤにより特定される画像データが描画される。
【００５０】
なお、本実施形態では、"対応する画像のＩＤ"４０２として記録された画像ＩＤが、３つであるため、異常検出部１３２において異常が検出されるたびに、３つの画像データがレポート（異常あり）５００に描画されることとなる。
【００５１】
＜レポート（異常なし）の説明＞
次に、直前の防犯処理の実行時間内において、異常検出部１３２により異常が検出されなかった場合に、"定期レポート時刻"２０３において設定された時刻に生成・印刷出力されるレポート（異常なし）６００について説明する。図６は、"定期レポート時刻"２０３において設定された時刻に生成・印刷出力されたレポート（異常なし）６００の一例を示す図である。
【００５２】
図６に示すように、レポート（異常なし）６００は、詳細情報を記載する領域６０１を備える。詳細情報を記載する領域６０１には、異常検出部１３２により異常が検出されなかったこと、及び、直前の防犯処理の実行時間が記載される。
【００５３】
図６の例では、"２０１３年３月２０日午後７：００"から"２０１３年３月２１日午前７：００"までの間、異常検出部１３２により異常が検出されなかったことを示すレポート（異常なし）６００となる。なお、当該レポート（異常なし）６００は、"２０１３年３月２１日午前７：００"に生成・印刷出力される。
【００５４】
＜防犯処理のシーケンス（その１）＞
次に、防犯アプリケーション１２１による防犯処理のシーケンスについて説明する。図７は、防犯アプリケーション１２１による防犯処理のシーケンスのうち、異常検出部１３２により異常が検出される場合のシーケンスを示している。以下、図７にしたがって、異常が検出される場合の防犯処理のシーケンスについて説明する。
【００５５】
設定情報１２２の"防犯処理の実行時間"２００において設定された時刻になると、防犯アプリケーション１２１が起動し、防犯処理が実行開始される。
【００５６】
防犯処理が実行開始されると、タイマ部１０５では、"画像の記憶間隔"２０１で設定された時間（図２の例では、"５分"）に基づいて、カウントアップを開始する。タイマ部１０５において、設定された時間のカウントアップが完了すると、記憶制御部１３１に通知される。記憶制御部１３１では、カウントアップの通知を受信した際にカメラ部１０６により撮像された画像データを、画像ＩＤ及び記憶時刻とともに、記憶画像データ１２３として記憶装置１１１に記憶する。
【００５７】
記憶装置１１１に記憶された画像データ（画像ＩＤ＝Ｉ００００００１）は、異常検出部１３２により解析され、異常が検出されたか否かが判定される。異常が検出されなければ当該画像データに対する解析処理は終了する。
【００５８】
一方、カウントアップが完了したタイマ部１０５では、リセットされ、再び設定された時間に基づくカウントアップを開始する。タイマ部１０５においてカウントアップが完了すると、記憶制御部１３１に通知される。記憶制御部１３１では、カウントアップの通知を受信した際にカメラ部１０６により撮像された画像データを、画像ＩＤ及び記憶時刻とともに、記憶画像データ１２３として記憶装置１１１に記憶する。
【００５９】
記憶装置１１１に記憶された画像データ（画像ＩＤ＝Ｉ００００００２）は、異常検出部１３２により解析され、異常が検出されたか否かが判定される。ここで、画像データ（画像ＩＤ＝Ｉ００００００２）からは、異常が検出されたとする。
【００６０】
異常検出部１３２において異常が検出されると、管理部１３４に通知され、管理部１３４が、異常発生時の各部の処理を制御する。具体的には、記録制御部１３３に対して、異常記録データ１２４の記録を指示する。記録制御部１３３では、管理部１３４からの指示に従って、異常記録データ１２４を記録する。
【００６１】
上述したように、異常記録データ１２４には、異常検出部１３２において異常が検出された画像データが記憶された時刻である検出時刻（４０１）及び対応する画像のＩＤ（402）が記録される。図７の例では、異常記録データ１２４として記録されるべき画像データ（画像ＩＤ＝Ｉ００００００１〜Ｉ００００００３の画像データ）の記憶が完了しているため、ただちに異常記録データ１２４が記録される。
【００６２】
なお、異常記録データ１２４として記録されるべき画像データが、異常記録データ１２４の記録の際に、まだ、記憶装置１１１に記憶されていない場合には、当該画像データが撮像、記憶されてから、異常記録データ１２４の記録が完了する。
【００６３】
異常記録データ１２４の記録が完了すると、管理部１３４に完了した旨の通知がなされる。管理部１３４では、異常記録データ１２４の記録が完了した旨の通知を受けると、記録制御部１３３に対して、レポート（異常あり）５００の生成を指示する。
【００６４】
レポート（異常あり）５００の生成指示を受けた記録制御部１３３では、記録した異常記録データ１２４に基づいて、レポート（異常あり）５００を生成する。具体的には、詳細情報を記載する領域５０１に、異常検出部１３２により異常が検出されたこと、及び、異常が検出された画像データが記憶装置１１１に記憶された時刻を記載する。更に、異常記録データ１２４に記載された画像ＩＤに対応する画像データを挿入する。
【００６５】
レポート（異常あり）５００の生成が完了すると、記録制御部１３３では、管理部１３４に対して、レポート（異常あり）５００の生成が完了したことを通知する。これを受けて、管理部１３４では、印刷制御部１３５に対して、レポート（異常あり）５００の印刷指示を行う。
【００６６】
管理部１３４より印刷指示を受けた印刷制御部１３５では、生成されたレポート（異常あり）５００に基づく印刷ジョブを実行し、プリンタ部１０２を介して、レポート（異常あり）５００を記録紙に印刷出力する。
【００６７】
このような構成により、異常が検知されるたびに、異常が検出された画像データが記憶された時刻と、異常が検出された画像データ及び前後の画像データと、が描画されたレポート（異常あり）５００が印刷出力されることとなる。このため、ユーザは、異常が発生したか否かを当該レポート（異常あり）５００に基づいて簡単に認識できるようになる。また、当該レポート（異常あり）５００に基づいて、異常記録データ１２４にアクセスすることで、異常があった際の画像データを容易に確認することができるようになる。
【００６８】
以降、タイマ部１０５によるカウントアップが完了するごとに、カメラ部１０６により撮像された画像データが記憶装置１１１に記憶され、異常検出部１３２により異常が検出されるごとに、レポート（異常あり）５００が印刷出力される。
【００６９】
＜防犯処理のシーケンス（その２）＞
次に、防犯アプリケーション１２１による防犯処理のシーケンスについて説明する。図８は、防犯アプリケーション１２１による防犯処理のシーケンスのうち、異常検出部１３２により異常が検出されなかった場合のシーケンスを示している。以下、図８にしたがって、異常が検出されなかった場合の防犯処理のシーケンスについて説明する。
【００７０】
設定情報１２２の"防犯処理の実行時間"２００において設定された時刻になると、防犯アプリケーション１２１が起動し、防犯処理が実行開始される。
【００７１】
防犯処理が実行開始されると、タイマ部１０５では、"画像の記憶間隔"２０１で設定された時間（図２の例では、"５分"）に基づいて、カウントアップを開始する。タイマ部１０５において、設定された時間のカウントアップが完了すると、記憶制御部１３１に通知される。記憶制御部１３１では、カウントアップの通知を受信した際にカメラ部１０６により撮像された画像データを、画像ＩＤ及び記憶時刻とともに、記憶画像データ１２３として記憶装置１１１に記憶する。
【００７２】
記憶装置１１１に記憶された画像データ（画像ＩＤ＝Ｉ００００００１）は、異常検出部１３２により解析され、異常が検出されたか否かが判定される。異常が検出されなければ当該画像データに対する解析処理は終了する。
【００７３】
一方、カウントアップが完了したタイマ部１０５では、リセットされ、再び設定された時間のカウントアップを開始する。タイマ部１０５においてカウントアップが完了すると、記憶制御部１３１に通知される。記憶制御部１３１では、カウントアップの通知を受信した際にカメラ部１０６により撮像された画像データを、画像ＩＤ及び記憶時刻とともに、記憶画像データ１２３として記憶装置１１１に記憶する。
【００７４】
記憶装置１１１に記憶された画像データ（画像ＩＤ＝Ｉ００００００２）は、異常検出部１３２により解析され、異常が検出されたか否かが判定される。異常が検出されなければ当該画像データに対する解析処理は終了する。
【００７５】
以降、タイマ部１０５によるカウントアップが完了するごとに、カメラ部１０６により撮像された画像データが記憶装置１１１に記憶される。
【００７６】
ここで、設定情報１２２の"防犯処理の実行時間"２００において、"平日  午後７：００〜午前７：００"の時間範囲が設定され、"画像の記憶間隔"２０１が"５分"と設定されていたとする。この場合、防犯処理の実行時間が終了する時点で、２２７個の画像データが記憶画像データ１２３として、記憶装置１１１に記憶されることとなる。
【００７７】
防犯処理の実行処理が終了すると、タイマ部１０５では、管理部１３４に実行処理の時間範囲が終了したことを通知する。管理部１３４では、タイマ部１０５からの当該通知を受信すると、防犯処理の実行時間（ここでは、過去１２時間）内に、異常検出部１３２より、異常が検出された旨の通知を受けたか否かを判定する。
【００７８】
図８の例では、異常検出部１３２において異常が検出されていないため、管理部１３４では、記録制御部１３３に対して、レポート（異常なし）６００の生成を指示する。レポート（異常なし）６００の生成が指示された記録制御部１３３では、レポート（異常なし）６００を生成する。具体的には、直近の防犯処理の実行時間を、設定情報１２２より読み出し、当該実行時間において異常が検出されなかった旨の記載を行う。
【００７９】
レポート（異常なし）６００の生成が完了すると、記録制御部１３３では管理部１３４に完了した旨の通知を行う。レポート（異常なし）６００の生成が完了した旨の通知を受信した管理部１３４では、印刷制御部１３５に対して、レポート（異常なし）６００の印刷指示を行う。
【００８０】
管理部１３４より印刷指示を受けた印刷制御部１３５では、生成されたレポート（異常なし）６００に基づく印刷ジョブを実行し、プリンタ部１０２を介して、レポート（異常なし）６００を記録紙に印刷出力する。このような構成により、防犯処理の実行時間内において異常が検出されなかったことを、ユーザは、印刷出力されたレポート（異常なし）６００を介して容易に認識することができる。
【００８１】
レポート（異常なし）６００の印刷出力が完了すると、管理部１３４では、記憶制御部１３１に対して、不要画像の削除指示を出力する。ここで、不要画像とは、記憶装置１１１に記憶画像データ１２３として記憶されている画像データのうち、異常記録データ１２４において、"対応する画像のＩＤ"４０２として画像ＩＤが記録された画像データ以外の画像データを指す。つまり、印刷出力の対象とならなかった画像データを指す。
【００８２】
記憶制御部１３１では、管理部１３４より、不要画像の削除指示を受信すると、記憶装置１１１に記憶画像データ１２３として記憶されている画像データのうち、不要画像に該当する画像データであって、記憶時刻の古い画像データを削除する。これにより、有限な記憶装置１１１の記憶領域を効率的に利用することができる。
【００８３】
なお、上記説明では、管理部１３４から、不要画像の削除指示が出力されるタイミングを、レポート（異常なし）６００が印刷出力された後のタイミングとしたが、本発明はこれに限定されるものではない。レポート（異常なし）６００の印刷出力とは無関係のタイミングで（定期的であっても不定期であってもよい）、不要画像の削除指示を出力する構成としてもよい。
【００８４】
＜まとめ＞
以上の説明から明らかなように、本実施形態に係る画像形成装置１００では、
・撮像した画像データを所定の時間間隔で記憶し、異常の有無を判定する構成とした。
・異常を検出した場合に、異常が検出された画像データ及び前後の画像データ、ならびに当該画像データが記憶された時刻を含むレポート（異常あり）を、印刷出力する構成とした。
・防犯処理の実行時間内に異常が検出されなかった場合に、異常が検出されなかったことを示すレポート（異常なし）を、防犯処理の実行時間が経過した後に、印刷出力する構成とした。
【００８５】
これにより、本実施形態に係る画像形成装置１００によれば、印刷出力されたレポート（異常あり）を確認することにより、異常が発生したか否か、及び、異常が発生した時刻を簡単に認識することができる。また、異常が検出された場合には、画像データもあわせて印刷されるため、ユーザは、当該画像データを視認することで、画像形成装置１００において異常が検出された際の状況を容易に把握することができる。更に、異常が発生した時刻に基づいて、異常記録データ１２４にアクセスすることで、異常が発生した際の画像データを容易に確認することができる（つまり、膨大な画像データの中から、探し出す手間を省くことができる）。
【００８６】
また、例えば、不審者により、レポート（異常あり）５００が持ち去られた場合であっても、上記構成は有益である。ユーザは、レポート（異常なし）６００の有無に基づいて、異常が検出されなかったのか、異常が検出されたが、レポート（異常あり）５００が持ち去られたのかを、区別することができるからである。
【００８７】
この結果、画像形成装置を用いた防犯システムにおいて、ユーザの利便性を向上させることが可能となる。
【００８８】
［第２の実施形態］
上記第１の実施形態では、画像形成装置１００にカメラ部１０６を配する構成としたが、本発明はこれに限定されない。例えば、カメラ部１０６は、画像形成装置とは別体とし、画像形成装置がカメラ部１０６の出力を取得する構成とすることで、画像形成システムを形成するようにしてもよい。
【００８９】
また、上記第１の実施形態では、画像形成装置１００が、防犯アプリケーション１２１の記憶制御部１３１、異常検出部１３２、記録制御部１３３、管理部１３４、印刷制御部１３５の各機能及び記憶画像データ１２３、異常記録データ１２４を有する構成とした。しかしながら、この形態は本発明の範囲を限定するものではない。例えば、他の機器が、これらの機能の一部または全部を有し、他の機器とともに画像形成システムを形成するように構成してもよい。この場合、他の機器は、一台であっても複数台であってもよい。
【００９０】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００９１】
１００  画像形成装置
１０１  ネットワーク通信部
１０２  プリンタ部
１０３  スキャナ部
１０４  ファクシミリ通信部
１０５  タイマ部
１０６  カメラ部
１０７  ＣＰＵ
１０８  ＲＯＭ
１０９  ＲＡＭ
１１０  不揮発メモリ
１１１  記憶装置
１１２  操作部
１２１  防犯アプリケーション
１２２  設定情報
１２３  記憶画像データ
１２４  異常記録データ
１３１  記憶制御部
１３２  異常検出部
１３３  記録制御部
１３４  管理部
１３５  印刷制御部
【先行技術文献】
【特許文献】
【００９２】
【特許文献１】特許第３７４５６６３号
【特許文献２】特開２００６−１３０８３４号公報
【図１】
2015023399.tif 000003
【図２】
2015023399.tif 000004
【図３】
2015023399.tif 000005
【図４】
2015023399.tif 000006
【図５】
2015023399.tif 000007
【図６】
2015023399.tif 000008
【図７】
2015023399.tif 000009
【図８】
2015023399.tif 000010